(57)【特許請求の範囲】
【請求項１】
原稿を搬送してコンタクトガラスの所定の位置で該原稿を読み取る原稿読み取り装置において、上記コンタクトガラス入口に設けるガイド部材に多数の穴を設けてなり、上記ガイド部材の穴の配置部位の裏側に吸塵部材を配してなることを特徴とする原稿読み取り装置。
【請求項２】
請求項１の原稿読み取り装置において、上記ガイド部材の穴を原稿搬送方向に隙間なく配置してなることを特徴とする原稿読み取り装置。
【請求項３】
請求項１または２の原稿読み取り装置において、上記ガイド部材の穴が丸形状であることを特徴とする原稿読み取り装置。
【請求項４】
請求項１または２の原稿読み取り装置において、上記ガイド部材の穴が搬送される原稿の送り方向に狭まった形状であることを特徴とする原稿読み取り装置。
【請求項５】
請求項１から４のいずれかの原稿読み取り装置において、上記ガイド部材の穴を千鳥状に配列をしてあることを特徴とする原稿読み取り装置。
【発明の詳細な説明】
【０００１】
【発明の属する技術分野】
本発明は、ＰＰＣ、ファクシミリ、スキャナ等に用いて原稿を搬送する原稿読み取り装置に関する。
【０００２】
【従来の技術及び発明が解決しようとする課題】
図１に従来の原稿読み取り装置の一例を示す。図中１は原稿、２は原稿テーブル、３はレジストローラ、４は搬送ガイド板、５はガイドマイラ（ガイド部材となるフィルム材である）、６は読み取りセンサ、７はコンタクトガラス、８は白色バックアップローラ、９は排紙ローラである。なお、「マイラ」は米国デュポン社製のポリエチレンテレフタラートフイルムの商品名として周知であり、同品は、きわめて薄いフィルム材であり、透明で不燃性である。電気絶縁性が良く酸に侵されにくいなどの特徴をもつものであり、本願明細書においては米国デュポン社製のポリエチレンテレフタラートフイルムのみならず同等の性能、性状を有するものをも含んで「マイラ」と言う。
【０００３】
原稿１は、レジストローラ３で先端位置合わせしたあと、搬送されて搬送ガイド板４とガイドマイラ５を通り、コンタクトガラス７に到達する。この時、原稿１上に付着してともに搬送されたゴミがコンタクトガラス７に付着したり、コンタクトガラス７をこすりながら通過するため、読み取った画像には黒スジや白スジとなって現れ、画像品質低下の原因となっていた。これを防ぐためには頻繁にコンタクトガラス７面を拭くなどの清掃作業を行う必要があった。
【０００４】
例えば特開平８−２９８５７２号公報に開示の技術では、除電布をコンタクトガラスに接触させてゴミがコンタクトガラスに付着するのを防いでいるが、ゴミの侵入を防ぐものではなく、上述のような問題の十分な解決になっていなかった。
【０００５】
また特開平１１−１８４１７４号公報に開示の技術では、クリーニング部材をコンタクトガラス面に摺接させて動かし、コンタクトガラス面から汚れを拭き取るようにしているが、これもゴミの侵入を防ぐものではなく、やはり上述のような問題の十分な解決になっていなかった。
【０００６】
本発明は上記従来の問題点にかんがみ、原稿に付着して搬送されたゴミがコンタクトガラス面上に侵入して付着するのを防ぐことができる原稿読み取り装置を提供することを目的とする。
【０００７】
また本発明は、コンタクトガラスへのゴミの到達防止能力を向上させた原稿読み取り装置を提供することを目的とする。
【０００８】
さらに本発明は、かき取ったゴミの飛散防止能力を向上させた原稿読み取り装置を提供することを目的とする。
【０００９】
【課題を解決するための手段】
本発明の請求項１に係る原稿読み取り装置は、上記目的を達成するために、原稿を搬送してコンタクトガラスの所定の位置で該原稿を読み取る原稿読み取り装置において、上記コンタクトガラス入口に設けるガイド部材に多数の穴を設けてなり、上記ガイド部材の穴の配置部位の裏側に吸塵部材を配してなることを特徴とする。
【００１０】
同請求項２に係るものは、請求項１の原稿読み取り装置において、上記ガイド部材の穴を原稿搬送方向に隙間なく配置してなることを特徴とする原稿読み取り装置。
【００１１】
同請求項３に係るものは、上記目的を達成するために、請求項１または２の原稿読み取り装置において、上記ガイド部材の穴が丸形状であることを特徴とする。
同請求項４に係るものは、上記目的を達成するために、請求項１または２の原稿読み取り装置において、上記ガイド部材の穴が搬送される原稿の送り方向に狭まった形状であることを特徴とする。
同請求項５に係るものは、上記目的を達成するために、請求項１から４のいずれかの原稿読み取り装置において、上記ガイド部材の穴を千鳥状に配列をしてあることを特徴とする。
【００１２】
【発明の実施の形態】
以下本発明の実施の形態を図面を参照して説明する。なお以下では従来と共通する部分には共通する符号を付すにとどめ重複する説明は省略する。
図２は本発明に係る原稿読み取り装置の一実施形態を示す断面図、図３は図２の矢印Ｂ方向から見た底面図である。本実施形態装置は、上側の搬送ガイド板４に、接着等の方法でガイドマイラ１１を取り付け、このガイドマイラ１１に複数の穴１２を設けてある。
【００１３】
穴１２は、原稿１に付着して搬送されてくるゴミ１０をコンタクトガラス７の手前でかき取り、コンタクトガラス７への侵入を防止するためのものである。穴１２の平面形状は、図中矢印Ａ方向に搬送される原稿１が引っ掛からないように、丸形状や送り方向に狭まった形状が好ましい。本実施形態では原稿１の送り方向にすぼまる三角形状としてある。もちろん種々の形状を採用可能である。
【００１４】
またガイドマイラ１１の上側に、紙、スポンジ等からなる吸塵部材１５を設けてある。ガイドマイラ１１の穴１２でかき取ったゴミ１０は吸塵部材１５に集積し、ゴミ１０の飛散を防止する。もちろん吸塵部材１５に代わる吸塵手段を配してもよい。また吸塵部材１５を交換可能とし、集積したゴミを除去可能とすることがよいことももちろんである。
【００１５】
ガイドマイラの他の形態を図４に示す。このガイドマイラ１１は、穴１３を原稿１搬送方向（矢印Ａ）に対して直角に２列配置し、また穴１３の配列を千鳥状にしてある。これにより穴１３がオーバーラップ分Ｃを有して隙間なく配置できる。このため、矢印Ａ方向から侵入したゴミ１０が確実にかき取られる。なお本例では穴１３を２列に整列させているが、オーバーラップ分Ｃが確保できればランダムな配置及び形状でもよい。また列数も２列には限定されない。
【００１６】
【発明の効果】
請求項１の原稿読み取り装置は、以上説明してきたように、原稿読み取り面側に設けたガイド部材の穴が、原稿面に付着して搬送されたゴミをコンタクトガラスに到達する前にかき落とすので、ゴミのコンタクトガラス付着による黒スジ、白スジ等による画像性能低下を容易に防止できるという効果がある。また、部品を追加することがないため、低コストで達成でき、またガイド部材の穴でかき取ったゴミを吸塵部材に集積するので、ゴミの飛散を防止でき、また吸塵部材を交換することで集積したゴミを容易に除去することができるという効果がある。
【００１７】
請求項２の原稿読み取り装置は、以上説明してきたように、ガイドマイラの穴が原稿搬送方向に隙間なく配置されているため、上記共通の効果に加え、ゴミが確実に穴に引っ掛かるようになり、ゴミ除去性能が向上するという効果がある。
【００１８】
請求項３の原稿読み取り装置は、以上説明してきたように、ガイド部材の穴に原稿が引っ掛かりにくいという効果がある。請求項４の原稿読み取り装置も同様である。また請求項５の原稿読み取り装置は、請求項２の原稿読み取り装置と同様に、ガイド部材の穴が原稿搬送方向に隙間なく配置されるため、ゴミが確実に穴に引っ掛かるようになり、ゴミ除去性能が向上するという効果がある。
【図面の簡単な説明】
【図１】従来の原稿読み取り装置の一例を示す断面図である。
【図２】本発明に係る原稿読み取り装置の一実施形態を示す断面図である。
【図３】図２の矢印Ｂ方向から見た底面図である。
【図４】ガイドマイラの他の形態を示す底面図である。
【符号の説明】
１  原稿
２  原稿テーブル
３  レジストローラ
４  搬送ガイド板
５  ガイドマイラ
６  読み取りセンサ
７  コンタクトガラス
８  白色バックアップローラ
９  排紙ローラ
１０  ゴミ
１１  ガイドマイラ
１２、１３  穴
１５  吸塵部材
Ｃ  穴のオーバーラップ分
【図１】
0003829055.tif 000002
【図２】
0003829055.tif 000003
【図３】
0003829055.tif 000004
【図４】
0003829055.tif 000005